(57)【要約】      （修正有）【課題】コアチューブに調整メカニズムを提供して、光ファイバーの伝送効率を向上させる光ファイバーコネクタを提供する。【解決手段】光ファイバーコネクタ１００は、筐体Ｈ１と、コアチューブ１３０と、遮断部材１６０とを含む。筐体は、窓１１２を有する。コアチューブは、筐体内に回転可能に設置される。コアチューブは、ギヤ構造１３２を有し、ギヤ構造の一部は、窓から筐体に露出する。遮断部材は、ラック構造１６１を有し、遮断部材は、窓に着脱可能に組み立てられて、コアチューブを遮蔽し、且つラック構造がギヤ構造にロックされて、コアチューブが回転するのを阻止する。【選択図】図２
0003230778.tif 000002
【実用新案登録請求の範囲】
【請求項１】
窓を有する筐体と、
前記筐体内に回転可能に設置され、ギヤ構造を有し、前記ギヤ構造の一部が、前記窓から前記筐体に露出したコアチューブと、
ラック構造を有し、前記窓に着脱可能に組み立てられて前記コアチューブを遮蔽し、且つ前記ラック構造が前記ギヤ構造にロックされて前記コアチューブが回転するのを阻止する遮断部材と、
を含む光ファイバーコネクタ。
【請求項２】
前記コアチューブが、チューブ本体と、前記ギヤ構造とを含み、前記チューブ本体が、軸により前記筐体内に回転可能に設置され、前記ギヤ構造が、前記チューブ本体の外側にスリーブ接続され、前記軸を取り囲む請求項１に記載の光ファイバーコネクタ。
【請求項３】
前記チューブ本体の材質が、セラミックであり、前記ギヤ構造の材質が、金属である請求項２に記載の光ファイバーコネクタ。
【請求項４】
前記遮断部材が、プレート本体を含み、前記ラック構造が、前記プレート本体に設置され、前記プレート本体が、窓に挿入され、前記ラック構造と前記ギア構造を互いに噛み合わせる請求項１に記載の光ファイバーコネクタ。
【請求項５】
前記遮断部材が、さらに、前記プレート本体の側縁から延伸した係合ピラーを有し、前記窓が、主開口および前記主開口から延伸した係合スロットを有し、前記ギヤ構造の一部が、前記主開口から前記筐体に露出して、前記プレート本体によって遮蔽され、前記係合ピラーが、前記係合スロットに係合する請求項４に記載の光ファイバーコネクタ。
【請求項６】
前記筐体が、前ケースと後ケースを含み、前記コアチューブが、軸により前記前ケースと前記後ケースの間に組み立てられ、前記光ファイバーコネクタが、さらに、前記コアチューブと前記後ケースの間に当接されたバネを含む請求項１に記載の光ファイバーコネクタ。
【請求項７】
前記コアチューブが、チューブ本体と、前記ギヤ構造とを含み、前記バネが、前記チューブ本体の一部にスリーブ接続され、且つ前記ギヤ構造と前記後ケースの間に当接された請求項６に記載の光ファイバーコネクタ。
【請求項８】
前記光ファイバーコネクタが、さらに、前記後ケースに設置され、且つ前記チューブ本体にスリーブ接続された延伸コアチューブを含み、前記バネが、前記チューブ本体の一部と前記延伸コアチューブとにスリーブ接続された請求項７に記載の光ファイバーコネクタ。
【請求項９】
前記前ケースが、さらに、遮断部を有し、前記ギヤ構造が、前記バネと前記遮断部の間に当接された請求項６に記載の光ファイバーコネクタ。
【請求項１０】
前記光ファイバーコネクタが、ＬＣ型光ファイバーコネクタである請求項１に記載の光ファイバーコネクタ。
【考案の詳細な説明】
【技術分野】
【０００１】
この考案は、コネクタに関するものであり、特に、光ファイバーコネクタに関するものである。
【背景技術】
【０００２】
光ファイバーは、高周波、低損失といった利点を有するため、近年、信号の伝送媒介として幅広く使用されている。さらに、光通信ネットワークの技術的拡大に伴い、インターネットおよびイントラネット等の広域ネットワークが普及し、同時に、通信トラフィックも改善された。
【０００３】
一般的に、光ファイバーコネクタは、メスアダプタ（adapter）でオス光ファイバーコネクタが互いに嵌合し、メスアダプタは、電子デバイスに設置される。オス光ファイバーコネクタがメスアダプタに挿入された時、接続関係が構成されるため、それにより、係合固定およびデータ伝送の目的を同時に達成することができる。
【０００４】
しかしながら、コネクタの外ケースとその中にある光ファイバーの間の同心度は、製造または組み立ての公差によって変動する。その結果、両端オスの光ファイバーコネクタが同時にメスアダプタに挿入された時、両端オスの光ファイバーコネクタ内の光ファイバーを完全に合わせることができない場合、光ファイバー信号の信号損失が生じる。
【０００５】
したがって、いかにして接続時の精度を上げるかが、関連技術者が思考し、克服すべき課題となっている。
【考案の概要】
【考案が解決しようとする課題】
【０００６】
この考案は、コアチューブに調整メカニズムを提供して、光ファイバーの伝送効率を向上させる光ファイバーコネクタを提供する。
【課題を解決するための手段】
【０００７】
この考案の光ファイバーコネクタは、筐体と、コアチューブと、遮断部材とを含む。筐体は、窓を有する。コアチューブは、筐体内に回転可能に設置される。コアチューブは、ギヤ構造を有し、ギヤ構造の一部は、窓から筐体に露出する。遮断部材は、ラック構造を有し、遮断部材は、窓に着脱可能に組み立てられて、コアチューブを遮蔽し、且つラック構造がギヤ構造にロックされて、コアチューブが回転するのを阻止する。
【０００８】
この考案の１つの実施形態において、上述したコアチューブは、チューブ本体と、上述したギヤ構造とを含む。チューブ本体は、軸により筐体内に回転可能に設置され、ギヤ構造は、チューブ本体の外側にスリーブ接続され、上述した軸を取り囲む。
【０００９】
この考案の１つの実施形態において、上述したチューブ本体の材質は、セラミックであり、上述したギヤ構造の材質は、金属である。
【００１０】
この考案の１つの実施形態において、上述した遮断部材は、プレート本体を含み、ラック構造は、プレート本体に設置される。プレート本体は、窓に挿入され、ラック構造とギア構造を互いに噛み合わせる。
【００１１】
この考案の１つの実施形態において、上述した遮断部材は、さらに、プレート本体の側縁から延伸した係合ピラーを有し、窓は、主開口および主開口から延伸した係合スロットを有する。ギヤ構造の一部は、主開口から筐体に露出して、プレート本体によって遮蔽され、係合ピラーは、係合スロットに係合する。
【００１２】
この考案の１つの実施形態において、上述した筐体は、前ケースと後ケースを含み、コアチューブは、軸により前ケースと後ケースの間に組み立てられ、光ファイバーコネクタは、さらに、コアチューブと後ケースの間に当接されたバネを含む。
【００１３】
この考案の１つの実施形態において、上述したコアチューブは、チューブ本体と、上述したギヤ構造とを含み、バネは、チューブ本体の一部にスリーブ接続され、且つギヤ構造と後ケースの間に当接される。
【００１４】
この考案の１つの実施形態において、上述した光ファイバーコネクタは、さらに、後ケースに設置され、且つチューブ本体にスリーブ接続された延伸コアチューブを含み、バネは、チューブ本体の一部と延伸コアチューブとにスリーブ接続される。
【００１５】
この考案の１つの実施形態において、上述した前ケースは、さらに、遮断部を有し、ギヤ構造は、バネと遮断部の間に当接される。
【００１６】
この考案の１つの実施形態において、上述した光ファイバーコネクタは、ＬＣ（Lucent Connector）型光ファイバーコネクタである。
【考案の効果】
【００１７】
以上のように、光ファイバーコネクタは、そのコアチューブにギヤ構造を設置することにより、コアチューブとギヤ構造を同期回転の状態にし、同時に、筐体の窓からギヤ構造の一部を露出させるため、使用者は、光ファイバーコネクタと別の光ファイバーコネクタを接続する時に、露出したギヤ構造を動かして、２つの光ファイバーコネクタの接続レベルを調整することができる。一旦調整が終わると、遮断部材を筐体の窓に組み立てることにより、遮断部材のラック構造をギヤ構造にロックすることができるため、コアチューブが回転するのを円滑に阻止することができる。このようにして、使用者は、２つの光ファイバーコネクタを接続する時に、上述した調整メカニズムによって光ファイバーコネクタの接続精度をさらに向上させることができ、それにより、光信号伝送時の減衰と損失を減らすことができる。
【図面の簡単な説明】
【００１８】
【図１】図１は、この考案の１つの実施形態に係る光ファイバーコネクタの概略図である。
【図２】図２は、図１の光ファイバーコネクタの拡大図である。
【図３】図３は、図１の光ファイバーコネクタの組み立て概略図である。
【図４】図４は、図１の光ファイバーコネクタの局部断面図である。
【考案を実施するための形態】
【００１９】
図１は、この考案の１つの実施形態に係る光ファイバーコネクタの概略図である。図２は、図１の光ファイバーコネクタの拡大図である。図１および図２を同時に参照すると、本実施形態において、光ファイバーコネクタ１００は、例えば、ＬＣ（Lucent Connector）型光ファイバーコネクタであり、筐体Ｈ１と、コアチューブ１３０と、遮断部材１６０とを含む。本実施形態の筐体Ｈ１は、軸Ｌ１により互いに組み立てられた前ケース１１０および後ケース１２０を含み、前ケース１１０の係止孔１１３と後ケース１２０の凸部１２１が互いに係合して、前ケース１１０と後ケース１２０の組み立てが完了する。前ケース１１０は、窓１１２を有する。コアチューブ１３０は、軸Ｌ１により筐体Ｈ１内に回転可能に設置され、且つ実質的に、前ケース１１０と後ケース１２０で構成された空間に位置する。コアチューブ１３０は、ギヤ構造１３２を有し、ギヤ構造１３２の一部は、窓１１２から筐体Ｈ１に露出する。遮断部材１６０は、ラック構造１６１を有し、遮断部材１６０は、窓１１２に着脱可能に組み立てられて、コアチューブ１３０を遮蔽し、且つラック構造１６１は、ギヤ構造１３２にロックされ、コアチューブ１３０が軸Ｌ１で回転するのを阻止する。
【００２０】
さらに説明すると、コアチューブ１３０は、チューブ本体１３１と、ギヤ構造１３２とを含む。チューブ本体１３１は、軸Ｌ１に沿って互いに相対する両端部Ｅ１、Ｅ２を有し、且つ軸Ｌ１により筐体Ｈ１内に回転可能に設置され、ギヤ構造１３２は、チューブ本体１３１の外側にスリーブ接続され、軸Ｌ１を取り囲む。本実施形態において、チューブ本体１３１の材質は、セラミックであり、ギヤ構造１３２の材質は、金属である。両者は、実質的に、リベット工法により互いに結合するため、ギヤ構造１３２とチューブ本体１３１を軸Ｌ１により同時に回転させることができる。
【００２１】
また、コアチューブ１３０は、軸Ｌ１により前ケース１１０と後ケース１２０の間に位置する。チューブ本体１３１は、前ケース１１０の内部空間１１１に延伸して、端部Ｅ１を前ケース１１０の内部空間１１１から突出させるとともに、保護部材１７０の前スリーブ１７１によりスリーブ接続されて保護される。光ファイバーコネクタ１００は、さらに、後ケース１２０に設置され、且つチューブ本体１３１の端部Ｅ２にスリーブ接続された延伸コアチューブ１５０を含み、同時に、後ケース１２０は、前ケース１１０に対向する面と反対側の面が光ファイバーチューブ（図示せず）により上述した延伸コアチューブ１５０に接続され、同時に、保護部材１７０の後スリーブ１７２により外に配置され、内部の光ファイバーコアチューブに保護作用を提供する。
【００２２】
また、光ファイバーコネクタ１００は、コアチューブ１３０と後ケース１２０の間に当接されたバネ１４０を含み、バネ１４０は、チューブ本体１３１の一部と延伸コアチューブ１５０とにスリーブ接続される。さらに説明すると、バネ１４０は、端部Ｅ２においてチューブ本体１３１の一部にスリーブ接続され、且つギヤ構造１３２と後ケース１２０の間に当接される。
【００２３】
図３は、図１の光ファイバーコネクタの組み立て概略図である。図４は、図１の光ファイバーコネクタの局部断面図である。図２〜図４を同時に参照すると、本実施形態において、遮断部材１６０は、プレート本体１６２を含み、ラック構造１６１は、プレート本体１６２に設置される。プレート本体１６２は、窓１１２に挿入され、ラック構造１６１とギア構造１３２を互いに噛み合わせるために使用される。つまり、コアチューブ１３０は、軸Ｌ１により筐体Ｈ１内に回転可能に組み立てられ、且つギア構造１３２の一部は、前ケース１１０の窓１１２から露出する。そのため、光ファイバーコネクタ１１０と別の光ファイバーコネクタ（または、光ファイバーアダプタであるが、ここでは図示しない）を接続した時、コアチューブ１３０の端部Ｅ１が上述した別の光ファイバーコネクタ（または、光ファイバーアダプタ）のコアチューブと接続するが、製造上の公差によって、互いに接続された光ファイバーコネクタのコアチューブの同心度に差が出る可能性があるため、ギア構造１３２の一部を窓１１２から露出させることにより、使用者は、接続時に、露出したギア構造１３２を工具で動かしてコアチューブ１３０を回転させることができ、調整の効果を達成することができる。さらに、接続させたい光ファイバーコネクタが所望の光信号伝送効率に達した後、遮断部材１６０を前ケース１１０の窓１１２に挿入し、遮断部材１６０のラック構造１６１とコアチューブ１３０のギア構造１３２を互いに噛み合わせてロックすることにより、コアチューブ１３０を所望の位置で維持することができる。
【００２４】
説明すべきこととして、ギア構造１３２の歯の数は、必要に応じて、適切に調整することができる。例を挙げて説明すると、光ファイバーコネクタの接続精度を上げたい時は、ギア構造１３２の歯の数を増やすことにより、コアチューブ１３０の回転精度を上げることができる。このようにして、使用者は、精度の要求に応じて、対応する光ファイバーコネクタ１００を提供することができるため、光ファイバーコネクタ１００の適用範囲を上げることもできる。
【００２５】
本実施形態において、遮断部材１６０は、さらに、プレート本体１６２の側縁から延伸した係合ピラー１６３を有し、窓１１２は、主開口１１２ａおよび主開口１１２ａから延伸した係合スロット１１２ｂを有する。ギヤ構造１３２の一部は、主開口１１２ａから筐体Ｈ１に露出して、プレート本体１６２によって遮蔽され、同時に、係合ピラー１６３を係合スロット１１２ｂに係合させ、遮断部材１６０を筐体Ｈ１の前ケース１１０に固定させることによって、ギヤ構造１３２とのロック関係を維持することができる。
【００２６】
また、図４に示すように、前ケース１１０は、さらに、遮断部１１４を有し、ギヤ構造１３２は、バネ１４０と遮断部１１４の間に当接される。ここで、バネ１４０の弾性力は、光ファイバーコネクタ１００の接続方向（図４では右側に向く方向）に向かってギヤ構造１３２を絶えず駆動させるため、ギヤ構造１３２がバネ１４０によって駆動され、遮断部１１４に当接される。そのため、使用者がギヤ構造１３２を工具で動かしてコアチューブ１３０を調整する時、遮断部１１４に当接したギヤ構造１３２により、コアチューブ１３０が軸Ｌ１に沿ってシフトし、使用者がコアチューブ１３０に行った角度調整の結果に影響を与えないようにすることを確実にすることができる。
【００２７】
以上のように、この考案の上述した実施形態において、光ファイバーコネクタは、そのコアチューブにギヤ構造を設置することにより、コアチューブとギヤ構造を同期回転の状態にし、同時に、筐体の窓からギヤ構造の一部を露出させるため、使用者は、光ファイバーコネクタと別の光ファイバーコネクタを接続する時に、露出したギヤ構造を動かして、２つの光ファイバーコネクタの接続レベルを調整することができる。一旦調整が終わると、遮断部材を筐体の窓に組み立てることにより、遮断部材のラック構造をギヤ構造にロックすることができるため、コアチューブが回転するのを円滑に阻止することができる。このようにして、使用者は、２つの光ファイバーコネクタを接続する時に、上述した調整メカニズムによって光ファイバーコネクタの接続精度をさらに向上させることができ、それにより、光信号伝送時の減衰と損失を減らすことができる。同時に、使用者は、精度の要求に応じて、対応する光ファイバーコネクタを提供することができるため、光ファイバーコネクタの適用範囲を上げることもできる。
【符号の説明】
【００２８】
１００  光ファイバーコネクタ
１１０  前ケース
１１１  内部空間
１１２  窓
１１２ａ  主開口
１１２ｂ  係合スロット
１１３  係合孔
１１４  遮断部
１２０  後ケース
１２１  凸部
１３０  コアチューブ
１３１  チューブ本体
１３２  ギヤ構造
１４０  バネ
１５０  延伸コアチューブ
１６０  遮断部材
１６１  ラック構造
１６２  プレート本体
１６３  係合ピラー
１７０  保護部材
１７１  前スリーブ
１７２  後スリーブ
Ｅ１、Ｅ２  端部
Ｈ１  筐体
Ｌ１  軸
【図１】
0003230778.tif 000003
【図２】
0003230778.tif 000004
【図３】
0003230778.tif 000005
【図４】
0003230778.tif 000006